(57)【要約】      （修正有）【課題】室内で行うパットの練習をゴルフボール一つで練習者は動くことなくリズミカルに次から次に打つことができるゴルフパット練習器を提供する。【解決手段】６０度ほどの傾斜を付けた高さ１３ｃｍ、奥行き９ｃｍ、幅３０ｃｍの三角柱形状の成型物の、傾斜を付けた正面に、ゴム板Ａまたは類似のものを成型物の下端から３ｃｍほど延ばしてその裾部が反り形になるようにして貼り付けた。【選択図】図１
0003229899.tif 000002
【実用新案登録請求の範囲】
【請求項１】
６０度ほどの傾斜を付けた三角柱形状の成型物（高さ１３ｃｍ、奥行き９ｃｍ、幅３０ｃｍ）の、傾斜を付けた正面にゴム板または類似のものを成型物の下端から３ｃｍほど延ばしてその裾部が反り形になるようにして貼り付けたゴルフパット練習器。
【請求項２】
パットされたゴルフボールが６０度ほどの傾斜を付けた成型物の傾斜面に貼り付けたゴム板または類似のもので勢いを削がれ、反転してその裾部の反り形の効果もあって運動エネルギーがまた供給されて元の位置まで戻って来るメカニズム。
【考案の詳細な説明】
【技術分野】
【０００１】  本考案は室内で行うゴルフパットの練習に供する器具に関するものである。
【技術背景】
【０００２】  ゴルフパット練習器については、広く市販されているものは打ったゴルフボールが入る合成樹脂製の成型物のカップ部分とゴルフボールが走るマット部分から成り、これを部屋にセットすることによりパットの練習ができる。
【０００３】  そして本考案に関連するゴルフパット練習器で特許文献に見られるものに、特許文献１および特許文献２に記載のものがある。
【０００４】  特許文献１および特許文献２のゴルフパット練習器はいずれもロングパットの練習を室内でもできるようにすることを目的に考案されたもので、特許文献１のゴルフパット練習器は、打ったゴルフボールの前方にステンレス板を傾斜度を７０度ほどに曲げ加工した表面に硬質ゴムを接着した方向変換部を置いて、その跳ね上がりの高さでパットする距離が換算されるとしている。
【０００５】  特許文献２のゴルフパット練習器は、打ったゴルフボールの前方に正面を傾斜の度合いに変化を付けたパーツを幾重にも積み重ねて、このパーツの段数でパットする距離が換算されるとしている。
【先行技術文献】
【特許文献】
【０００６】
【特許文献１】特開平１１−１７８９７１号  公報
【特許文献】
【０００７】
【特許文献２】特開２０００−２３７３６６号  公報
【考案の概要】
【考案が解決しようとする課題】
【０００８】  広く市販されているゴルフパット練習器は、打ったゴルフボールが前方のカップに入っても動かないから、その都度ゴルフボールを取りに行かなければならず、練習に際しては用具のセットと後片付けをしなければならないので時間的にも動作的に非効率である。またパットの練習をしない時の収納性にも問題がある。【０００９】  特許文献１のゴルフパット練習器は、疑似グリーンのカーペットとゴルフボールを方向変換させるステンレス板の方向変換部が一体となっており、ゴルフパット練習器の大きさとしてはかなりなものになるようで、パットの練習をしない時はその収納性に問題があると思われる。【００１０】  特許文献２のゴルフパット練習器は、正面の傾斜面が微妙な勾配を有しており、各パーツごとに異なる傾斜度を有するパーツを作るに際しては、各パーツの正面の傾斜面がずれないように製作するには相当に高度な工作技術を要求されるから容易に作れるものではない。各パーツに落下するゴルフボールが通る穴を設けるのも同様である。【００１１】  本考案が解決しようとする第一の課題は、ゴルフパット練習器を簡単に作ることができ、小型で手軽に扱える大きさにして収納性にも優れているゴルフパット練習器を考案することであり、第二の課題は、これによってパットの練習がいつでもどこででも手軽に行えてパットすることのおもしろ味が実感でき、パットの練習が毎日の習慣となるほどに手軽に行えるゴルフパット練習器を考案することであり、第三の課題は、コンパクトなゴルフパット練習器には不可欠な、打ったゴルフボールが持つ運動エネルギーを有効に活用して練習者は動くことなく練習ができ、時間的にも動作的にも効率よくパットの練習ができるゴルフパット練習器を提供することである。
【課題を解決するための手段】
【００１２】  室内で行うパットの練習でゴルフボールをリズミカルに次から次に打つためには、打ったゴルフボールがすぐに足元まで戻って来ることが一つの方策であり、そのために打球の前方に６０度ほどの傾斜を付けた三角柱形状の当て具を置いて、それに当たったゴルフボールがその傾斜部で方向転換してすぐに足元まで戻って来るようにした練習器を考案した。【００１３】  練習器の本体は、容易に入手できる木材を利用して作った高さ１３ｃｍ、奥行き９ｃｍ、幅３０ｃｍほどの三角柱形状の木枠で、傾斜を付けた正面に市販のゴム板（２０ｃｍ×１６ｃｍ×３ｍｍ）２枚を貼り付けた。この時、ゴム板は木枠の下端から３ｃｍほど延ばしてその裾部が反り形になるようにして、打ったゴルフボールが元の位置に程度よく戻って来るようにした。【００１４】  このゴム板が打ったゴルフボールには緩衝材となり、またゴム板の裾部の３ｃｍほどが反り形になっていることが傾斜部で反転したゴルフボールを元の位置までスムーズに戻す原動力となる。打たれたゴルフボールが得た運動エネルギーは練習器の傾斜部でスムーズに位置エネルギーに変換されてゼロになり、自重によって落下することで反転してゴム板の裾部の反り形の効果もあって運動エネルギーがまた供給されるからである。【００１５】  打ったゴルフボールは練習器の傾斜部に貼り付けてあるゴム板で減速し、反転してゴム板の裾部の反り形の効果ですぐに足元にスムーズに戻って来るから、練習者は動くことなくゴルフボールをタイミングよくリズミカルに次から次に打つことができる。【００１６】  この練習器にはカップがない。そのためにゴルフボールの狙い目として、例えばゴム板の下辺中央部に５４ｍｍ×１５ｍｍの紙２枚を貼り付けてカップ代わりとしてゴルフボールを打つが、もしその狙い目を外しても、打ったゴルフボールが練習器の範囲内であれば練習器で反転してすぐに足元に戻って来るから、練習者は休むことなくリズミカルに次から次にゴルフボールを打つことができる。
【考案の効果】
【００１７】  室内で行うパットの練習は所詮、実際のグリーンと同等の練習ができないのであるから別の目的を持って行うことが肝要である。それにはパットの最も基本である  ▲１▼パターの芯で打つ（芯を外すとフェイス面が変化して打球は逸れて行く）  ▲２▼ヒットする瞬間のパターのフェイス面は正面を向いている  ▲３▼ヘッドスピードは一定である  を確認するものとして、これらはゴルフボールを打った瞬間の掌の感触と打球の方向および強さで瞬時に確認できるから、場所は和室の畳や洋室のフローリングなどに関係なく、どのような場所でもその壁際に置いて練習することができる。距離も自在に設定すればよい。本考案はこの趣旨に適ったものである。【００１８】  打ったゴルフボールは本考案に貼り付けてあるゴム板によって勢いを削がれ、反転してゴム板の裾部の反り形の効果ですぐに足元まで戻って来るから、使用するゴルフボールは一つでよい。【００１９】  打ったゴルフボールはすぐにスムーズに足元に戻って来るから、練習者は動くことなくゴルフボールをタイミングよくリズミカルに次から次に打つことができるゆえに時間的にも動作的にも効率がよい。【００２０】  打ったゴルフボールが勢いよく足元に戻って来るのはよくない。打つのが強すぎるのだ。ゆるりと戻って来るくらいの勢いがよい打ち方だ。パットする強さ、すなわちパターのヘッドスピードの速さも本考案で確認でき、距離感の修得にも繋がる。【００２１】  本考案が小型で手軽であるから、いつでもどこででも場所を選ばず、本考案を壁際に置くだけでゴルフボールをタイミングよくリズミカルに次から次に打つことができるゆえに本考案でパットするおもしろ味が実感でき、自然と毎日のパット練習の習慣が付く。【００２２】  パットの練習をしない時は、本考案はソファの裾に置いても気にならないほどに小さいから収納性にも優れている。
【図面の簡単な説明】
【００２３】
【図１】斜め後方から見た透視図。本考案は木材で作った三角柱形状の木枠（１３ｃｍ×９ｃｍ×３０ｃｍ）である。この正面の表面材は６０度ほどの傾斜を付けてある。この表面材に貼り付けてあるのは市販のゴム板（２０ｃｍ×１６ｃｍ×３ｍｍ）２枚である。
【図２】側面図。ゴム板は木枠下端から３ｃｍほど延ばして貼り付けてある。このゴム板の裾部が反り形になっていることが傾斜部で反転したゴルフボールを元の位置までスムーズに戻す原動力となる。表面材とゴム板との固定はΦ３ｍｍのビスと木ネジである。
【図３】正面図。木枠をゴム板の幅よりも小さくして全体をコンパクトに仕上げた。
【考案を実施するための形態】
【００２４】  容易に入手できる木材から壁材、底面材、表面材、横梁材、傾斜調整材、接着補強材を切り取る。壁材は６０度ほどの角度を持つ三角形材である。
【００２５】  これを三角柱形状に組み立てる。
【００２６】  正面の傾斜を付けた表面材にゴム板を木枠の下端から３ｃｍほど延ばして貼り付ける。ゴム板の裾部は反り形になっている。表面材への固定はΦ３ｍｍのビスと木ネジである。
【実施例】
【００２７】  Ｂは木材で作った三角柱形状の木枠で、傾斜のある正面にＡのゴム板を貼り付けてある。ゴム板は木枠の下端から３ｃｍほど延ばして裾部が反り形になっている。本考案は和室の畳でも洋室や廊下のフローリングでも好みに任せてその壁際に置き、距離も自在に設定する。【００２８】  パットの練習に使用するゴルフボールは一つでよい。打ったゴルフボールは本考案の傾斜部に貼り付けてあるゴム板で減速し、反転してその裾部の反り形の効果ですぐに足元に戻って来るから、練習者は動くことなくタイミングよくリズミカルに次から次にゴルフボールを打つことができ、時間的にも動作的にも効率的であることが実感できる。【００２９】  ゴルフボールをタイミングよくリズミカルに次から次に打つことは、ゴルフボールをただ打つだけではなく、▲１▼パターの芯で打っているか  ▲２▼ヒットする瞬間のパターのフェイス面は正面を向いているか  ▲３▼ヘッドスピードは一定であるか    というパットの基本に心が向くことになり、これには和室の畳や洋室のフローリングなどに関係なく、ゴルフボールを打った瞬間の掌の感触と打球の方向および強さで瞬時に確認できるからパットの技術は向上する。【００３０】  本考案の高さは１３ｃｍであるが、本考案を壁際に置くから高さに不足はない。ゴルフボールを強く打って本考案を乗り越えても、壁で跳ね返ってすぐに足元まで戻って来るからである。【００３１】  本考案は小型で手軽で場所を選ばないから、食後のホッとしたひと時、また就寝前のふとんの横ででも手軽にパットができるから本考案でパットするおもしろ味が実感でき、自然と毎日のパット練習の習慣が付く。【００３２】  パットの練習をしない時は、本考案はソファの裾に置いても気にならないほどに小さいから収納性にも優れている。【００３３】  本考案は、構造が簡単で容易に作ることができ、いつでもどこででも好きな時にパットの練習ができるうえに収納性にも優れているから、ゴルフパット練習器の汎用品として活用されることが期待できる。
【産業上の利用可能性】
【００３４】  本考案の木枠の部分を合成樹脂製の成型物として作り、その正面の傾斜部にゴム板または類似のものをその裾部が反り形になるようにして貼り付けて製作すれば量産が可能であり、安価で取り扱いやすく、効果てきめんのゴルフパット練習器を容易に製造できる。
【符号の説明】
【００３５】    Ａ………ゴム板
Ｂ………木枠
１………壁材
２………表面材
３………底面材
４………横梁材
５………傾斜調整材
６………接着補強材（１）
７………接着補強材（２）
８………Φ３ｍｍビス
９………Φ３ｍｍ木ネジ
１０………ゴム板の裾部の反り形の長さ
【図１】
0003229899.tif 000003
【図２】
0003229899.tif 000004
【図３】
0003229899.tif 000005